(57)【特許請求の範囲】
【請求項１】
それぞれが所定波長の光を選択反射可能である積層された複数の液晶層と、
該液晶層をその観察側から照明するための複数のフロントライト層とを備えており、
いずれの前記フロントライト層も少なくとも一つの有機エレクトロルミネッセンス素子を含んでおり、
前記複数のフロントライト層のうちの一つのフロントライト層は前記複数の液晶層のうちで該複数の液晶層全体の観察側に最も近い位置に配置される液晶層の観察側に配置されており、残りのフロントライト層はいずれも隣合う液晶層の間に配置されていることを特徴とする反射型積層型液晶表示装置。
【請求項２】
前記複数の液晶層のそれぞれに対して、その液晶層の観察側に前記フロントライト層が設けられている請求項１記載の反射型積層型液晶表示装置。
【請求項３】
前記フロントライト層は、そのフロントライト層により照明する液晶層の選択反射波長に対応する色と同じ又はほぼ同じ色の光を発光するものである請求項１又は２記載の反射型積層型液晶表示装置。
【請求項４】
前記フロントライト層の有機エレクトロルミネッセンス素子は、一対の電極と、該電極対の間に配置された有機発光膜を含んでおり、該電極対のうち該フロントライト層の照明対象である液晶層側に配置される電極とは該有機発光膜を間にして反対側に配置される電極は反射膜からなる請求項１から３のいずれかに記載の反射型積層型液晶表示装置。
【発明の詳細な説明】
【０００１】
【発明の属する技術分野】
本発明は、フロントライトとしての照明装置を有する反射型積層型液晶表示装置に関する。
【０００２】
【従来の技術】
携帯電話、ＰＨＳ、ＰＤＡ（携帯情報端末）、ポータブルコンピュータなどの携帯型の装置における表示素子には、小型、軽量、薄型そして低消費電力であることが求められている。このような要請に応えうる表示素子として液晶表示素子が知られている。
【０００３】
液晶表示素子は自発光型の表示素子ではないので、表示を行うためには照明光を必要とする。液晶表示素子は透過型のものと反射型のものに大別され、それぞれにおいては例えば次のようにして表示が行われる。
【０００４】
透過型液晶表示素子を用いた表示装置においては、液晶表示素子の裏側にバックライトと呼ばれる照明装置が配置され、そのバックライトからの光を照明光として利用する。液晶表示素子によってバックライトから照射された光の透過制御を行うことで、画像が表示される。そのため、明るい場所で表示を行うときでも、常にバックライトを点灯しておく必要がある。
【０００５】
これに対して反射型液晶表示素子による表示は、明るい場所であれば外光（太陽光、室内灯光等）を照明光として利用して視認することができる。そのため、反射型液晶表示素子は、明るい場所では照明装置を必要とせず、透過型液晶表示装置に比べて低消費電力化を達成することができる。
【０００６】
しかし、反射型液晶表示素子による表示は、暗い場所では視認することが難しくなる。そのため、反射型液晶表示素子の観察側面（フロント側面）を照明するためのフロントライトと呼ばれる照明装置を備える表示装置が提案されている。フロントライトを点灯することで、暗い場所においても反射型液晶表示素子による表示を視認することができる。
【０００７】
このフロントライトとしては、冷陰極管等の光源と、光源からの光を液晶表示素子に導くための導光板を有するものが知られている。導光板は、反射型液晶表示素子に重ねて、その観察側（フロント側）に配置される。
【０００８】
【発明が解決しようとする課題】
しかしながら、液晶表示素子に重ねて配置される導光板は厚く、導光板及び光源を含むフロントライトを採用する反射型液晶表示装置は、比較的厚くなってしまう。また、光源を配置するスペースも必要となるため、それだけ反射型液晶表示装置は大型化してしまう。
【０００９】
反射型液晶表示装置としては、カラー表示を行うなどのために複数の液晶層が積層された反射型積層型液晶表示装置が提案されているが、この積層型液晶表示装置に対して導光板を設けると、導光板を設けないときでも単層型液晶表示素子に比べて積層型液晶表示素子は厚いところ、積層型液晶表示装置はさらに厚くなってしまう。
【００１０】
また、導光板を含むフロントライトにより照明を行うときには、導光板の構造に起因する照明ムラが発生しやすく、それだけ表示画像はみにくくなる。
【００１１】
そこで、本発明は、積層された複数の液晶層と、フロントライトとしての照明装置を備える反射型積層型液晶表示装置であって、フロントライトとして導光板及び光源を含む照明装置を採用する反射型積層型液晶表示装置よりも薄くすることができる反射型積層型液晶表示装置を提供することを課題とする。
【００１２】
また、本発明は、フロントライトとして導光板及び光源を含む照明装置を採用する反射型積層型液晶表示装置よりも、コンパクトにすることができる反射型積層型液晶表示装置を提供することを課題とする。
【００１３】
また、本発明は、フロントライトとして導光板及び光源を含む照明装置を採用する反射型積層型液晶表示装置よりも、照明ムラを抑制でき、それだけ表示画像の見やすい反射型積層型液晶表示装置を提供することを課題とする。
【００１４】
【課題を解決するための手段】
§１．
前記課題を解決するために本発明は、
それぞれが所定波長の光を選択反射可能である積層された複数の液晶層と、
該液晶層をその観察側から照明するためのフロントライト層とを備えており、
いずれの前記フロントライト層も少なくとも一つの有機エレクトロルミネッセンス素子を含んでいる反射型積層型液晶表示装置を提供する。
【００１５】
§１．１．
本発明に係る液晶表示装置は積層型であり、積層された複数の液晶層を有している。
また、液晶表示装置は反射型の表示を行うものであり、複数の液晶層はそれぞれ所定波長の光を選択反射することができる。以下、液晶層が選択反射する光の波長域におけるピーク波長を選択反射ピーク波長という。各液晶層の選択反射ピーク波長は代表的には他の液晶層の選択反射ピーク波長と異なるものとすればよい。
【００１６】
液晶表示装置は、例えば、青色領域に選択反射ピーク波長を有する液晶層（Ｂ−液晶層）と、緑色領域に選択反射ピーク波長を有する液晶層（Ｇ−液晶層）と、赤色領域に選択反射ピーク波長を有する液晶層（Ｒ−液晶層）の三つの液晶層が積層されたものとすればよい。なお、積層されたＢ−液晶層、Ｇ−液晶層及びＲ−液晶層を有する液晶表示装置を以降の説明ではＲＧＢ型液晶表示装置ということがある。ＲＧＢ型液晶表示装置はカラー表示を行うことができる。
【００１７】
各液晶層はそれぞれ一対の基板の間に挟持されている。つまり、液晶表示装置は各液晶層を挟持するための複数の基板を備えている。一つの基板を隣合う二つの液晶層の挟持に共通に利用してもよい。
【００１８】
液晶層を挟持する一対の基板上には、それぞれ液晶層を駆動して表示を行うための電極を形成しておけばよい。例えば単純マトリクス駆動を行うための電極、或いは、アクティブマトリクス駆動を行うための電極を形成すればよい。基板上には、必要に応じて、絶縁膜、配向膜、ガスバリア膜、アクティブ素子（例えばＴＦＴ）を形成してもよい。基板は例えば樹脂フィルム基板又はガラス基板とすればよい。樹脂フィルム基板を採用すれば、基板の破損を抑制でき、基板の薄型化、軽量化も図れる。
【００１９】
上記のように所定波長の光を選択反射することができる液晶層が複数積層された液晶表示装置においては、明るい場所では外光（太陽光、室内照明光等）を利用して、表示を行うことができる。しかし、暗い場所では、液晶層に入射する光が不足して、表示画像を観察することが難しくなる。
【００２０】
暗い場所でも表示画像を観察できるようにするために、液晶表示装置は次のようなフロントライト層を備えることができる。
【００２１】
いずれのフロントライト層も、複数の液晶層のうちの少なくとも一つの液晶層をその液晶層の観察側（フロント側）から照明するために設けられる。つまり、いずれのフロントライト層も、そのフロントライト層により照明を行う液晶層（照明対象液晶層という）よりも観察側に配置される。いずれのフロントライト層も代表的には表示領域に重なるように配置すればよい。複数の液晶層はそれぞれいずれかのフロントライト層によってその観察側から照明することができる。
【００２２】
なお、ある一つの液晶層を照明するためのフロントライト層には、その液晶層の選択反射ピーク波長を少なくとも含む波長領域の光を発光できることが求められ、換言すれば、その液晶層の選択反射ピーク波長に対応する色と同じ又はほぼ同じ色の光を少なくとも発光できることが求められる。例えば、液晶層の選択反射ピーク波長が赤色領域にあるときには、この液晶層を照明するためのフロントライト層には少なくとも赤色領域の光を発光できることが求められ、黄（赤＋緑）色や白（赤＋緑＋青）色等の光を発光できるものとしてもよい。また、二以上の液晶層を照明するためのフロントライト層には、少なくともこれら各液晶層の選択反射ピーク波長をいずれも含む波長領域の光を発光できることが求められ、換言すれば、少なくともこれら各液晶層の選択反射ピーク波長に対応する色を混ぜた色と同じ又はほぼ同じ色の光を発光できることが求められる。
【００２３】
代表的には、液晶表示装置には複数のフロントライト層を設ければよい。フロントライト層を複数設けるときには、フロントライト層の数は液晶層の数と同じでもよく、液晶層の数よりも少なくてもよい。例えば、液晶層の数とフロントライト層の数を同じにして、複数の液晶層のそれぞれに対してフロントライト層を設けてもよい。
【００２４】
液晶表示装置が第１〜第Ｎ（Ｎは２以上の整数）の積層された複数の液晶層を有しており、これら液晶層が第１〜第Ｎ液晶層の順に観察側から配置されている場合には、フロントライト層は例えば次のように設けることができる。
【００２５】
参考までに言えば、フロントライト層を一つだけ設けるときには、そのフロントライト層は第１液晶層（観察側に最も近い液晶層）よりも観察側に配置し、そのフロントライト層により第１〜第Ｎの各液晶層を照明すればよい。
【００２６】
フロントライト層を複数設けるときには、複数のフロントライト層のうちの一つのフロントライト層は第１液晶層よりも観察側に配置し、残りの１又は２以上のフロントライト層はいずれも隣合う液晶層の間であって、照明対象液晶層よりも観察側にそれぞれ配置すればよい。
【００２７】
フロントライト層の照明対象液晶層が一つの場合には、そのフロントライト層は代表的にはその照明対象液晶層を挟持する一対の基板のうちの観察側に配置される基板に形成すればよい。一つのフロントライト層により複数の液晶層を照明する場合には、代表的にはそれら液晶層のうちの観察側に最も近い液晶層を挟持する一対の基板のうちの観察側に配置される基板にそのフロントライト層を形成すればよい。
【００２８】
いずれのフロントライト層も、少なくとも一つの有機エレクトロルミネッセンス素子（有機ＥＬ素子）を含んでいる。フロントライト層は、複数の有機ＥＬ素子を含むもの、例えば、有機ＥＬ素子を構成する発光部分を複数含むものとしてもよい。有機ＥＬ素子としては既に知られているものを採用することができる。
【００２９】
フロントライト層は、有機ＥＬ素子を封止するための封止層をさらに含むものとしてもよい。封止層を設けることで、有機ＥＬ素子の水分や酸素による劣化を抑制することができる。
【００３０】
有機ＥＬ素子（フロントライト層）は数百ｎｍ程度の厚みとすることができるので、フロントライト層を設けても、液晶表示装置全体の厚みはフロントライト層がないときとほぼ同じになる。たとえ複数のフロントライト層を設けても、勿論その数にもよるが、代表的にはフロントライト層は二つ又は三つ設けるのでそれらフロントライト層の厚みの合計は数μｍ程度にしかならない。したがって、たとえ複数のフロントライトを設けても、液晶表示装置全体の厚みは、フロントライト層を設けないときとあまり変わらない。
【００３１】
従来一般的に採用されている、導光板と光源を有するフロントライトでは、導光板の厚みが少なくとも１．０ｍｍ程度はあるので、有機ＥＬ素子からなるフロントライト層を設ける方が導光板を設けるときよりも液晶表示装置全体を薄くすることができる。また、導光板を含むフロントライトを採用する場合には冷陰極管、ＬＥＤアレイ等の光源を配置するスペースが必要となるが、本発明の液晶表示装置においては有機ＥＬ素子からなるフロントライト層を採用したため、冷陰極管等の光源を配置するためのスペースを必要とせず、それだけ液晶表示装置をコンパクトにすることができる。
【００３２】
また、従来の導光板と光源を有するフロントライトでは導光板の構造等に起因して照明ムラが発生しやすいが、有機ＥＬ素子からなるフロントライト層により照明すれば、照明ムラを抑制することができる。例えば、フロントライト層に複数の有機ＥＬ素子を設けておき、これら有機ＥＬ素子を表示領域の各部に均一又はほぼ均一な密度で配置しておくことで、表示領域における照明ムラを抑制することができる。さらに、樹脂フィルム基板を用いて作製された可撓性を有する液晶表示装置の場合、従来の導光板と光源を有するフロントライトでは可撓性に乏しく液晶表示装置の曲げに追従させることが難しかったが、有機ＥＬ素子からなるフロントライト層を用いることで、可撓性を有する液晶表示素子の曲げに十分追従させることができるようになる。
【００３３】
§１．２．
以下、反射型積層型液晶表示装置についてさらに説明する。
（ａ）  フロントライト層は、例えば、そのフロントライト層により照明する液晶層（照明対象液晶層）の選択反射ピーク波長に対応する色と同じ又はほぼ同じ色の光を発光するものとすればよい。
つまり、フロントライト層の照明対象液晶層が一つの場合には、フロントライト層はその照明対象液晶層の選択反射ピーク波長に対応する色と同じ又はほぼ同じ色の光を発光するものとしてもよい。
【００３４】
また、フロントライト層の照明対象液晶層が二つ以上の場合には、フロントライト層はこれら液晶層の選択反射ピーク波長にそれぞれ対応する色を混ぜた色と同じ又はほぼ同じ色の光を発光するものとしてもよい。例えば、フロントライト層の照明対象液晶層が、緑色領域に選択反射ピーク波長を有する液晶層と、赤色領域に選択反射ピーク波長を有する液晶層の二つの液晶層である場合には、そのフロントライト層の発光色を黄色（緑＋赤）としてもよい。
【００３５】
このようにすれば、フロントライト層の発光エネルギーの利用効率が高くなる。また、表示色の色純度を高めることができる。
【００３６】
既述のように複数の液晶層のそれぞれに対してフロントライト層を設ける場合、いずれのフロントライト層についても、そのフロントライト層により照明する液晶層（照明対象液晶層）の選択反射ピーク波長に対応する色と同じ又はほぼ同じ色の光を発光するものとしてもよい。
【００３７】
（ｂ）  フロントライト層は既述のように１又は２以上の有機ＥＬ素子を含んでいる。
フロントライト層は、発光領域（発光可能領域）と非発光領域とを含むものであってもよく、換言すれば、有機ＥＬ素子として機能する領域と、有機ＥＬ素子として機能しない領域を含むものであってもよい。
【００３８】
代表的には、フロントライト層はその少なくとも一部（代表的にはその大部分又は全部）が表示領域に重なるように配置すればよい。
【００３９】
例えば、フロントライト層の発光領域がいずれの画素（画素領域）にも重ならないように、フロントライト層は表示領域に重ねて配置すればよい。換言すれば、フロントライト層の非発光領域（有機ＥＬ素子として機能しない領域）を画素に重ねて、発光領域（有機ＥＬ素子として機能する領域）は画素からずらして配置してもよい。このようにすれば、フロントライト層を表示領域に重ねて配置しても、画素の開口率は低下しない。
【００４０】
或いは、フロントライト層の発光領域（有機ＥＬ素子として機能する領域）の少なくとも一部が画素の一部（画素の全部ではない一部）に重なるように、フロントライト層を配置してもよい。このようにすれば、画素の開口率は低下してしまうこともあるが、画素の真上からその画素を照明でき、照明効率を高めることができる。画素の開口率と照明効率等を考慮して、どれぐらいの割合で発光領域を画素に重ねるかを定めればよい。なお、この場合でも、フロントライト層の発光領域は画素に重ならない部分があってもよい。つまり、フロントライト層の発光領域には、画素の一部に重なる部分と、画素に重ならない部分があってもよい。
【００４１】
（ｃ）  フロントライト層により照明を行うときには、そのフロントライト層の有機ＥＬ素子に通電して、該フロントライト層を発光させるための駆動装置により、該フロントライト層を駆動すればよい。液晶表示装置に複数のフロントライト層を設ける場合には、複数の駆動装置によりそれぞれフロントライト層を駆動してもよく、共通の一つの駆動装置により全てのフロントライト層を駆動してもよい。
【００４２】
液晶表示装置にフロントライト層の発光輝度を設定するための入力部をさらに設け、駆動装置は入力部を介して設定される発光輝度情報に応じた電流を有機エレクトロルミネッセンス素子に通電して、フロントライト層を発光させるようにしてもよい。このようにすれば、入力部を介してフロントライト層（有機ＥＬ素子）の発光輝度を調整できる。
【００４３】
液晶表示装置に複数のフロントライト層を設ける場合には、各フロントライト層の発光輝度をそれぞれ設定するための入力部を設けてもよい。
【００４４】
このようにフロントライト層の発光輝度を調整できるようにすることで次の利点がある。例えば、複数の液晶層の反射率の間のバランスが悪く、表示色の色バランス（色調等）が悪い場合には、フロントライト層の発光輝度を入力部を介して調整することで、色バランスを調整することができる。
【００４５】
入力部は、例えば、ダイヤル、スライドバー等を手動で動かすことで、発光輝度を設定するためのものとすればよい。入力部は、コンピュータ等のホスト機器上において発光輝度を設定するためのものとしてもよい。
【００４６】
（ｄ）  フロントライト層を構成する有機ＥＬ素子としては、既に知られているものを採用することができる。有機ＥＬ素子は既に知られている方法により作製することができる。
【００４７】
有機ＥＬ素子は、一対の電極と、これら電極対の間に配置された有機発光膜を有している。電極対のうち一方の電極は陽極として、他方の電極は陰極として利用される。電極対のうちの観察側に配置される電極（例えば陰極）は、反射膜（例えば金属膜）としてもよい。このようにすれば、照明効率を高めることができる。電極対のうちの観察側と反対側に配置される電極（照明対象液晶層に臨む電極）は、代表的には、透明電極（例えばＩＴＯ電極）とすればよい。複数のフロントライト層を設ける場合は、観察者側のフロントライト層の有機ＥＬ素子で発光した光が、観察者から遠い側のフロントライト層の有機ＥＬ素子の反射電極（反射膜からなる電極）で正反射して観察者の眼に入らないようにするため、有機ＥＬ素子の反射電極の観察者側に光吸収層を設けてもよい。
【００４８】
電極間に挟持する有機発光膜には少なくとも有機発光層が含まれている。有機ＥＬ素子においては、有機発光層材料によって発光波長を制御することができる。有機発光膜は次に述べるように、有機発光層だけの単層構造であってもよく、有機発光層を含む二以上の層が積層された積層構造であってもよい。有機発光膜は、積層された複数の有機発光層を含んでいてもよい。有機発光層は、色素がドープされたものとしてもよい。
【００４９】
有機発光膜は、例えば、（１）陽極側から陰極側へ、正孔移動関連層及び有機発光層が積層されたもの、（２）陽極側から陰極側へ、正孔移動関連層、有機発光層及び電子移動関連層が積層されたもの、又は、（３）陽極側から陰極側へ、有機発光層及び電子移動関連層が積層されたもの、とすればよい。
【００５０】
有機発光膜中に電荷（正孔又は電子）の移動効率を高めるための正孔移動関連層又は（及び）電子移動関連層を設けておけば、電極から有機発光膜への電荷の注入効率を高め、発光効率を高めることができる。
【００５１】
正孔移動関連層は、例えば、（１）正孔注入層、（２）正孔輸送層、（３）正孔注入層及び正孔輸送層、又は（４）正孔注入輸送層とすればよい。正孔輸送層や正孔注入輸送層により発光層からの電子注入が阻止されるので、これらのうちいずれかを設けることで有機発光層に電子を閉じこめることができ、発光効率を高めることができる。
【００５２】
電子移動関連層は、例えば、（１）電子注入層、（２）電子輸送層、（３）電子注入層及び電子輸送層、又は（４）電子注入輸送層とすればよい。電子輸送層や電子注入輸送層により発光層からの正孔注入が阻止されるので、これらのうちいずれかを設けることで有機発光層に正孔を閉じこめることができ、発光効率を高めることができる。
【００５３】
（ｅ）  フロントライト層の有機ＥＬ素子は所定面（例えば液晶層を挟持する基板面）上に次のように形成してもよい。
例えば、照明対象の液晶層に臨む側の電極（例えば陽極）及び有機発光膜は、表示領域の全面に形成し、観察側に配置される電極（例えば陰極）だけを所定形状、所定パターンにしてもよい。観察側に配置される電極だけを、例えば、既述のようにいずれの画素にも重ならないように、或いは、画素の一部に重なるように形成してもよい。
【００５４】
このように照明対象の液晶層に臨む側の電極、有機発光膜及び観察側に配置される電極を形成するときには、電極が重なる領域だけが有機ＥＬ素子として機能する領域（つまり、発光領域）となる。
【００５５】
このようにすれば、例えばいずれの画素にも重ならないように、或いは、画素の一部に重なるようにフロントライト層の発光領域を設ける場合でも、照明対象の液晶層に臨む側の電極及び有機発光膜については、フォトリソグラフィー法などを利用してエッチングする必要がなくなり、それだけ有機ＥＬ素子（フロントライト層）を効率よく作製することができる。
【００５６】
（ｆ）  液晶層中の液晶は、例えば、コレステリック相を示す液晶（例えば、室温でコレステリック相を示す液晶）を含む液晶組成物とすればよい。コレステリック相を示す液晶（液晶組成物）は、液晶のヘリカルピッチに応じた波長の光を選択的に反射することができる。コレステリック相を示す液晶には、表示色の調整などのために色素を添加してもよい。
【００５７】
コレステリック相を示す液晶としては、例えば、それ自体がコレステリック相を示すコレステリック液晶や、ネマティック液晶にカイラル材を添加したカイラルネマティック液晶などを採用すればよい。カイラルネマティック液晶は、カイラル材の添加量、種類等によって、ヘリカルピッチを調整でき、選択反射ピーク波長を簡単に調整できる利点がある。
【００５８】
（ｇ）  液晶表示装置の代表例として、カラー表示を行うことができる前記ＲＧＢ型液晶表示装置を挙げることができる。ＲＧＢ型液晶表示装置は、前述のように、青色領域に選択反射ピーク波長を有する第１の液晶層（Ｂ−液晶層）と、緑色領域に選択反射ピーク波長を有する第２の液晶層（Ｇ−液晶層）と、赤色領域に選択反射ピーク波長を有する第３の液晶層（Ｒ−液晶層）を有している。ＲＧＢ型液晶表示装置においては、Ｒ−、Ｇ−及びＢ−液晶層はどのような順序で積層してもよいが、例えば、観察側からＢ−液晶層、Ｇ−液晶層、Ｒ−液晶層の順に積層すればよい。このようにすれば、表示色の色純度を高めることができる。
【００５９】
このようなＲＧＢ型液晶表示装置においては、例えば、フロントライト層を次の（ｇ１）又は（ｇ２）において述べるように設ければよい。
（ｇ１）  ＲＧＢ型液晶表示装置においては、例えば、Ｒ−液晶層を照明するための第１のフロントライト層（Ｒ−フロントライト層）と、Ｇ−液晶層を照明するための第２のフロントライト層（Ｇ−フロントライト層）と、Ｂ−液晶層を照明するための第３のフロントライト層（Ｂ−フロントライト層）を設ければよい。
【００６０】
Ｒ−、Ｇ−及びＢ−フロントライト層は、代表的には、それぞれ照明対象液晶層のすぐ観察側に配置すればよい。つまり、フロントライト層とそのフロントライト層の照明対象液晶層の間には、そのフロントライト層の照明対象でない液晶層が配置されないようにこれらフロントライト層は配置すればよい。例えば、観察側からＢ−液晶層、Ｇ−液晶層、Ｒ−液晶層の順にこれら液晶層を積層する場合、観察側からＢ−フロントライト層、Ｂ−液晶層、Ｇ−フロントライト層、Ｇ−液晶層、Ｒ−フロントライト層、Ｒ−液晶層の順に配置すればよい。
【００６１】
Ｒ−フロントライト層は、代表的には、Ｒ液晶層を挟持するための一対の基板のうちの観察側に配置される基板上に形成すればよい。同様に、Ｇ−フロントライト層は、代表的には、Ｇ液晶層を挟持するための一対の基板のうちの観察側に配置される基板上に形成すればよい。Ｂ−フロントライト層は、代表的には、Ｂ液晶層を挟持するための一対の基板のうちの観察側に配置される基板上に形成すればよい。
【００６２】
Ｒ−、Ｇ−及びＢ−フロントライト層は、代表的には、Ｒ−液晶層の選択反射ピーク波長に対応する色の光（つまり赤色光）、Ｇ−液晶層の選択反射ピーク波長に対応する色の光（つまり緑色光）及びＢ−液晶層の選択反射ピーク波長に対応する色の光（つまり青色光）をそれぞれ発光できるものとすればよい。このようにすれば、Ｒ−、Ｇ−及びＢ−の各フロントライト層から出力される光のエネルギー利用効率が高くなる。
【００６３】
上記述べたＲＧＢ型液晶表示装置によると、Ｒ−、Ｇ−及びＢ−の各液晶層に対してそれぞれフロントライト層が設けられているため、各フロントライト層の照明輝度をそれぞれ他のフロントライト層から独立して調整することができる。Ｒ−、Ｇ−及びＢ−各液晶層の選択反射の反射率のバランスが悪く、表示色の色調等がよくないときには、各フロントライト層の照明輝度の関係を調整することで、表示色の色調等の補正を行うことができる。
【００６４】
（ｇ２）  ＲＧＢ型液晶表示装置においては、Ｒ−、Ｇ−及びＢ−液晶層の三つの液晶層のうちのいずれか一つの液晶層を照明するための第１のフロントライト層と、残りの二つの液晶層を照明するための第２のフロントライト層の二つのフロントライト層だけを設けてもよい。
【００６５】
このようにすれば、Ｒ−、Ｇ−及びＢ−液晶層のそれぞれにフロントライト層を設ける場合よりも、フロントライト層の数が少なくなり、それだけ液晶表示装置は安価することができ、作製もしやすくなる。
【００６６】
例えば、Ｂ−液晶層を照明するための第１のフロントライト層と、Ｒ−及びＧ−液晶層を照明するための第２のフロントライト層の二つのフロントライト層だけを設ければよい。この場合、第１フロントライト層は、代表的には、Ｂ−液晶層の選択反射ピーク波長に対応する色（つまり青色）の光を発光するものとすればよい。また、第２フロントライト層は、代表的には、Ｒ−液晶層の選択反射ピーク波長に対応する色（つまり赤色）と、Ｇ−液晶層の選択反射ピーク波長に対応する色（つまり緑色）とを混ぜた黄（赤＋緑）色の光を発光するものとすればよい。発光色が黄色である有機ＥＬ素子として、発光効率の高いものが知られているので、そのような有機ＥＬ素子からなる第２フロントライト層を採用することで、消費電力を低減することができる。
【００６７】
第１及び第２フロントライト層は、代表的には、それぞれ照明対象液晶層のすぐ観察側に配置すればよい。例えば、観察側からＢ−液晶層、Ｇ−液晶層、Ｒ−液晶層の順にこれら液晶層を積層し、Ｂ−液晶層のために第１のフロントライト層を設け、Ｇ−及びＲ−液晶層のために第２のフロントライト層を設ける場合には、観察側から第１フロントライト層、Ｂ−液晶層、第２フロントライト層、Ｇ−液晶層、Ｒ−液晶層の順に配置すればよい。
【００６８】
第１フロントライト層は、代表的には、照明対象の液晶層を挟持するための一対の基板のうちの観察側に配置される基板上に形成すればよい。また、第２フロントライト層は、代表的には、照明対象の二つの液晶層のうちの観察側に配置される液晶層を挟持するための一対の基板のうちの観察側に配置される基板上に形成すればよい。
【００６９】
【発明の実施の形態】
§２．
以下、図面を参照して本発明の実施の形態を説明する。
本発明に係る反射型積層型液晶表示装置の一例の概略断面図及び概略平面図をそれぞれ図１及び図２に示す。
【００７０】
図１及び図２の反射型積層型液晶表示装置ＡＰ１は、青、緑及び赤色表示をそれぞれ行うための液晶表示モジュールＭｂ、Ｍｇ及びＭｒを備えている。これら液晶表示モジュールＭｂ、Ｍｇ、Ｍｒはこの順に積層されており、液晶表示モジュールＭｂが観察側に最も近い位置に配置されている。つまり、液晶表示装置ＡＰ１による表示画像は、図１において液晶表示モジュールＭｂの上側から観察する。観察側から最も遠い位置に配置された液晶表示モジュールＭｒの裏側面には、黒色の光吸収膜ＡＢが形成されている。
【００７１】
液晶表示モジュールＭｂは、液晶層Ｌｂを含む液晶表示素子ＬＥｂと、この液晶層Ｌｂを照明するためのフロントライト層ＦＬｂを有している。
同様に、液晶表示モジュールＭｇは、液晶層Ｌｇを含む液晶表示素子ＬＥｇと、この液晶層Ｌｇを照明するためのフロントライト層ＦＬｇを有している。
また、液晶表示モジュールＭｒは、液晶層Ｌｒを含む液晶表示素子ＬＥｒと、この液晶層Ｌｒを照明するためのフロントライト層ＦＬｒを有している。
【００７２】
各液晶表示モジュールＭｂ、Ｍｇ、Ｍｒの基本的構造は同じである。以下、主として液晶表示モジュールＭｂについて説明する。他の液晶表示モジュールＭｇ、Ｍｒについては、液晶表示モジュールＭｂと異なる点についてだけ述べる。
【００７３】
§２．１．
図３に液晶表示モジュールＭｂの概略斜視図を示す。なお、図３においては内部構造が見えるように、液晶表示モジュールＭｂの一部を切り欠いてある。
【００７４】
初めに、液晶表示素子ＬＥｂについて説明する（図１〜図３参照）。
液晶表示素子ＬＥｂは既述のように液晶層Ｌｂを有しており、この液晶層Ｌｂは一対の基板Ｓ１ｂとＳ２ｂの間に挟持されている。
【００７５】
液晶層Ｌｂは、液晶（液晶組成物）ＬＣｂにより形成された層である。液晶ＬＣｂは、本例では、ネマティック液晶にカイラル材を添加したカイラルネマティック液晶である。このカイラルネマティック液晶ＬＣｂは、室温でコレステリック相を示す。カイラルネマティック液晶ＬＣｂは、青色領域に選択反射ピーク波長を有しており、青色領域の光を選択反射することができる。
【００７６】
液晶層Ｌｂの周囲には枠状にシール壁ＳＷが形成されており、シール壁ＳＷは基板Ｓ１ｂ及びＳ２ｂのいずれにも接着している。これにより、液晶ＬＣｂが基板の間から漏れ出ることが防止されている。なお、図２及び図３においてはシール壁ＳＷは図示が省略されている。
【００７７】
基板Ｓ１ｂとＳ２ｂは、本例ではいずれもポリカーボネイト（ＰＣ）フィルムであり、可撓性を有している。これにより、液晶表示素子ＬＥｂ全体も可撓性を有している。基板Ｓ１ｂとＳ２ｂはいずれも透明である。
【００７８】
基板Ｓ１ｂの内面には、カラム電極Ｅ１及び配向膜Ｏ１がこの順に形成されている。もう一方の基板Ｓ２の内面にも同様に、ロウ電極Ｅ２及び配向膜Ｏ２がこの順に形成されている。
【００７９】
カラム電極Ｅ１及びロウ電極Ｅ２は、液晶表示素子ＬＥｂを単純マトリクス駆動するために設けられている。カラム電極Ｅ１は、所定ピッチで互いに平行に並ぶ複数の帯状電極Ｅ１ｂからなる。同様に、ロウ電極Ｅ２は、所定ピッチで互いに平行に並ぶ複数の帯状電極Ｅ２ｂからなる。帯状電極Ｅ１ｂと帯状電極Ｅ２ｂは互いに直交する方向に延びており、これら帯状電極の交点部分が画素となることで、マトリクス状に配列された複数の画素が構成される。本例では、図２に示すように、帯状電極Ｅ１ｂと帯状電極Ｅ２ｂが重なる領域を一つの画素ＰＸとして、画像表示が行われる。画像表示のための液晶表示素子ＬＥｂの駆動方法については後述する。
【００８０】
液晶層Ｌｂと同じ層内には、複数のスペーサＳＰと、複数の樹脂構造物ＲＳが配置されている。なお、図２及び図３においてはスペーサＳＰ及び樹脂構造物ＲＳは図示が省略されている。スペーサＳＰは、液晶層ＬＣｂの厚みを制御するために、基板Ｓ１ｂとＳ２ｂの間に配置されている。樹脂構造物ＲＳは、基板Ｓ１ｂ上の配向膜Ｏ１と、基板Ｓ２ｂ上の配向膜Ｏ２のいずれにも接着している。これにより、基板Ｓ１ｂとＳ２ｂは互いに接着している。樹脂構造物ＲＳによって、基板間ギャップ（液晶層の厚み）が広がってしまうことが抑制されているとともに、液晶表示素子ＬＥ１全体の強度も高められている。
【００８１】
§２．２．
他の液晶表示素子ＬＥｇ及びＬＥｒも、次に述べることを除き上記説明した青色表示用の液晶表示素子ＬＥｂと同じ構造を有している。
【００８２】
緑色表示用の液晶表示素子ＬＥｇにおいては、基板Ｓ１ｇとＳ２ｇの間に配置された液晶層Ｌｇは、緑色領域に選択反射ピーク波長を有する液晶ＬＣｇを含んでいる。この液晶ＬＣｇは、カイラルネマティック液晶であり、室温でコレステリック相を示す。
【００８３】
赤色表示用の液晶表示素子ＬＥｒにおいては、基板Ｓ１ｒとＳ２ｒの間に配置された液晶層Ｌｒは、赤色領域に選択反射ピーク波長を有する液晶ＬＣｒを含んでいる。この液晶ＬＣｒは、本例では、カイラルネマティック液晶であり、室温でコレステリック相を示す。
【００８４】
§２．３．
以下、青色表示用の液晶表示モジュールＭｂのフロントライト層ＦＬｂについて説明する。
フロントライト層ＦＬｂは、既述のように液晶表示素子ＬＥｂの液晶層Ｌｂを照明するために設けられている。
【００８５】
フロントライト層ＦＬｂは液晶層Ｌｂよりも観察側（フロント側）に配置されている。フロントライト層ＦＬｂは、液晶層Ｌｂを挟持する基板対Ｓ１ｂ、Ｓ２ｂのうちの観察側に配置された基板Ｓ１ｂ上に形成されている。さらに言うと、基板Ｓ１ｂの観察側面上にフロントライト層ＦＬｂは形成されている。
【００８６】
フロントライト層ＦＬｂは、複数の有機エレクトロルミネッセンス素子（有機ＥＬ素子）３ｂを含んでいる。有機ＥＬ素子３ｂの拡大断面図を図４（Ａ）に示す。
【００８７】
有機ＥＬ素子３ｂは、本例では、陽極３１、電荷輸送層３２１、発光層３２２ｂ、陰極３３が積層されたものである。
【００８８】
陽極３１は本例ではＩＴＯ膜からなり、透明である。電荷輸送層３２１及び発光層３２２は有機発光膜を構成しており、透明である。陰極３３は本例では金属膜からなり、光反射性能を有している。
【００８９】
本例においては、いずれの有機ＥＬ素子３ｂも帯状である。いずれの有機ＥＬ素子３ｂも、隣合う帯状電極Ｅ１ｂの間に対応する領域に形成されている。つまり、いずれの有機ＥＬ素子３ｂも帯状電極Ｅ１ｂと重なっていない。これにより、いずれの有機ＥＬ素子３ｂもいずれの画素ＰＸ（図２参照）とも重なっていない。これら有機ＥＬ素子３ｂは、全体としてはストライプ状に配置されており、液晶表示素子ＬＥｂの表示領域（表示装置ＡＰ１の表示領域）の全面にわたって均一な密度で配置されている。
【００９０】
駆動装置５１ｂ（図５参照）によって陽極３１と陰極３２の間に電圧を印加することで、有機ＥＬ素子３ｂは発光する。有機ＥＬ素子３ｂ（発光層３２２ｂ）は、本例では、この有機ＥＬ素子３ｂ（フロントライト層ＦＬｂ）の照明対象である液晶層Ｌｂの選択反射波長に対応する色と同じ色、つまり、青色の光を発光する。
【００９１】
有機ＥＬ素子３ｂの水分や酸素による劣化を抑制するなどのために、有機ＥＬ素子３ｂは封止層４１によって封止されている。
【００９２】
§２．４．
他のフロントライト層ＦＬｇ及びＦＬｒも、次に述べることを除き上記説明したフロントライト層ＦＬｂと同じ構造を有している。
【００９３】
緑色表示用の液晶表示素子ＬＥｇの液晶層Ｌｇに対して設けられたフロントライト層ＦＬｇは、複数の有機ＥＬ素子３ｇを含んでいる。フロントライト層ＦＬｇは、液晶層Ｌｇを挟持するための基板Ｓ１ｇ上に形成されている。有機ＥＬ素子３ｇは、有機ＥＬ素子３ｂと同様に、ストライプ状に形成されており、いずれの画素にも重ならないように配置されている。各有機ＥＬ素子３ｇは、図４（Ｂ）に示すように、陽極３１、電荷輸送層３２１、発光層３２２ｇ、陰極３３が積層されたものである。有機ＥＬ素子３ｇと３ｂは発光層だけが異なる。有機ＥＬ素子３ｇ（発光層３２２ｇ）は、この有機ＥＬ素子３ｇ（フロントライト層ＦＬｇ）の照明対象である液晶層Ｌｇの選択反射ピーク波長に対応する色と同じ色、つまり緑色の光を発光する。
【００９４】
赤色表示用の液晶表示素子ＬＥｒの液晶層Ｌｒに対して設けられたフロントライト層ＦＬｒは、複数の有機ＥＬ素子３ｒを含んでいる。フロントライト層ＦＬｒは、液晶層Ｌｒを挟持するための基板Ｓ１ｒ上に形成されている。有機ＥＬ素子３ｒは、有機ＥＬ素子３ｂと同様に、ストライプ状に形成されており、いずれの画素にも重ならないように配置されている。各有機ＥＬ素子３ｒは、図４（Ｃ）に示すように、陽極３１、電荷輸送層３２１、発光層３２２ｒ、陰極３３が積層されたものである。有機ＥＬ素子３ｒと３ｂは発光層だけが異なる。有機ＥＬ素子３ｒ（発光層３２２ｒ）は、この有機ＥＬ素子３ｒ（フロントライト層ＦＬｒ）の照明対象である液晶層Ｌｒの選択反射ピーク波長に対応する色と同じ色、つまり赤色の光を発光する。
【００９５】
フロントライト層ＦＬｇの有機ＥＬ素子３ｇ及びフロントライト層ＦＬｒの有機ＥＬ素子３ｒはいずれも封止層４１によって水分や酸素等から保護されている。フロントライト層ＦＬｇ及びＦＬｒの封止層４１は接着層の機能も兼ねており、これら封止層（接着層）４１によって隣合う液晶表示モジュールＭｂ、Ｍｇ、Ｍｒは互いに接着している。また、隣合う液晶表示モジュールの間には、液晶表示モジュール間の平行度を保つなどのために、比較的強度のある枠状の壁４２が設けられている。これら壁４２は本例では紫外線硬化樹脂からなる。壁４２は、隣合う液晶表示モジュールを接着する機能も兼ねている。
【００９６】
§２．５
以上説明した反射型積層型液晶表示装置ＡＰ１においては、各液晶表示素子ＬＥｂ、ＬＥｇ、ＬＥｒをそれぞれ駆動装置５２ｂ、５２ｇ、５２ｒ（図５参照）により次のように駆動して、画像表示を行う。
【００９７】
青色表示用の液晶表示素子ＬＥｂにおいて、帯状電極Ｅ１ｂとＥ２ｂの間に比較的高い電圧を印加すると、これら帯状電極に対応する画素（駆動対象画素）のカイラルネマティック液晶ＬＣｂはプレーナ状態（選択反射状態）になる。また、帯状電極Ｅ１ｂとＥ２ｂの間に比較的低い電圧を印加すると、駆動対象画素の液晶ＬＣｂはフォーカルコニック状態（透明状態）になる。帯状電極Ｅ１ｂとＥ２ｂの間に上記高い電圧と低い電圧の間の中間の電圧を印加すると、駆動対象画素の液晶ＬＣはプレーナ状態とフォーカルコニック状態が混在した状態になる。
【００９８】
他の液晶表示素子ＬＥｇ及びＬＥｒにおいても、液晶表示素子ＬＥｂと同様に駆動することで、それぞれ駆動対象画素の液晶ＬＣｇ及びＬＣｒを所定の状態とすることができる。
【００９９】
これらにより、駆動対象画素の液晶ＬＣｂ、ＬＣｇ及びＬＣｒを全て透明状態とすると、その画素においては光吸収膜ＡＢの色である黒色表示が行われる。駆動対象画素の液晶ＬＣｂ、ＬＣｇ及びＬＣｒのうちの１つを選択反射状態にし、残りを透明状態とすると、その画素においては選択反射状態の液晶の選択反射特性に応じた色の表示が行われる。駆動対象画素の液晶ＬＣｂ、ＬＣｇ及びＬＣｒのうちのいずれか二つ又は全てを選択反射状態にし、残りを透明状態とすると、その画素においては各色の選択反射光を混ぜた色の表示が行われる。
【０１００】
したがって、表示したい画像に応じて各画素の各液晶をその画素の画像情報に応じた状態とすることで、所望のカラー画像を表示することができる。
【０１０１】
なお、カイラルネマティック液晶ＬＣｂ、ＬＣｇ及びＬＣｒの状態は、帯状電極間への電圧を印加を停止した後も保持される。つまり、カイラルネマティック液晶を利用した液晶表示素子ＬＥｂ、ＬＥｇ及びＬＥｒは、電圧を印加しつづけなくても表示内容を維持できるメモリ性を有している。
【０１０２】
§２．６．
反射型積層型液晶表示装置ＡＰ１は、各液晶層Ｌｂ、Ｌｇ及びＬｒをそれぞれ観察側（フロント側）から照明するための有機ＥＬ素子を含むフロントライト層ＦＬｂ、ＦＬｇ及びＦＬｒを備えているため、これらフロントライト層（有機ＥＬ素子）を点灯することで、暗所でも表示画像を観察することができる。
【０１０３】
いずれの有機ＥＬ素子３ｂ、３ｇ、３ｒにおいても、観察側に最も近い陰極３３が反射膜であるので、発光層３２２ｂ、３２２ｇ、３２２ｒから発せられた光は直接的には観察者には届かず、有機ＥＬ素子を点灯しても表示画像の観察の妨げとはならない。また、発光層から観察側に向けて発せられた光は、反射膜である陰極３３により反射されて照明対象の液晶層の方へ向かうので、それだけ効率良く液晶層を照明することができる。
【０１０４】
§２．７．
以上説明した反射型積層型液晶表示装置ＡＰ１には次の利点がある。
液晶層Ｌｂ、Ｌｇ及びＬｒをそれぞれ照明するためのフロントライト層ＦＬｂ、ＦＬｇ及びＦＬｒの有機ＥＬ素子は数百ｎｍ程度の厚みとすることができる。封止層の厚みを足しても、各フロントライト層の厚みは数μｍ程度にすることができる。したがって、三つのフロントライト層の厚みを合計しても、その厚みは数μｍ〜数十μｍ程度とすることができる。一方、液晶表示素子ＬＥｂ、ＬＥｇ、ＬＥｒの各厚みは、基板として樹脂フィルムを採用しても、通常数百μｍ程度にはなる。このように、液晶表示素子の厚みに対してフロントライト層の厚みは非常に小さい。したがって、フロントライト層ＦＬｂ、ＦＬｇ及びＦＬｒを備える液晶表示装置ＡＰ１の全体の厚みは、これらフロントライト層がない液晶表示装置の全体の厚みとあまり変わらなく、フロントライト層による厚みの増加がほとんどない。
【０１０５】
また、従来の導光板と光源を有するフロントライトでは、導光板の厚みが少なくとも１．０ｍｍ程度はある。したがって、導光板の含むフロントライトを有する液晶表示装置よりも、有機ＥＬ素子からなるフロントライト層を有する液晶表示装置ＡＰ１は薄くすることができる。また、導光板を含むフロントライトを採用する場合には冷陰極管、ＬＥＤアレイ等の光源を配置するスペースが必要となるが、液晶表示装置ＡＰ１においては光源を配置するためのスペースを必要とせず、それだけ液晶表示装置ＡＰ１をさらにコンパクトにすることができる。
【０１０６】
また、従来の導光板と光源を有するフロントライトでは照明ムラが発生しやすいのに対して、液晶表示装置ＡＰ１においてはフロントライト層ＦＬｂを構成する複数の有機ＥＬ素子３ｂが均一な密度で表示領域の全面にわたり形成されているため、照明ムラを抑制することができる。他のフロントライト層ＦＬｇ、ＦＬｒについても同様に、照明ムラを抑制することができる。
【０１０７】
さらに、液晶層Ｌｂ、Ｌｇ、Ｌｒに対してそれぞれフロントライト層ＦＬｂ、ＦＬｇ、ＦＬｒが設けられており、これらフロントライト層ＦＬｂ、ＦＬｇ、ＦＬｒの発光波長がそれぞれ液晶層Ｌｂ、Ｌｇ、Ｌｒの選択反射ピーク波長とほぼ同じであるので、発光エネルギーの利用効率が高い。仮に液晶層ＬＣｒを白（赤＋緑＋青）色発光のフロントライト層で照明する場合には、液晶層ＬＣｒによる選択反射表示には緑色及び青色の光は必要ないので、このフロントライトが発する光の利用効率は低くなる。したがって、照明対象液晶層の選択反射色と同じ又はほぼ同じ色の光を発光するフロントライト層により、その液晶層の照明を行えば、それだけ光の利用効率が高くなる。また、仮に液晶層ＬＣｒを白色発光のフロントライト層で照明する場合には、緑色の光の一部及び青色の光の一部は、界面や層によって乱反射、散乱されるため、その乱反射等された光が観察者にまで届くことがある。そうなると、赤色表示を行うときには赤色の色純度が低下する。したがって、上記のように照明対象液晶層の選択反射色と同じ又はほぼ同じ色の光を発光するフロントライト層により、その液晶層の照明を行えば、このような表示色の色純度の低下も抑制できる。
【０１０８】
さらに、液晶層のすぐ観察側にその液晶層を照明するためのフロントライト層が配置されているため、換言すれば、フロントライト層とそのフロントライト層の照明対象である液晶層との間に不要な層（例えば照明対象でない液晶層）が介在していないので、フロントライト層によりそのフロントライト層の照明対象の液晶層を効率良く照明することができる。
【０１０９】
液晶表示素子ＬＥｂ、ＬＥｇ及びＬＥｒが積層された液晶表示装置においては、液晶表示素子ＬＥｂの観察側に白色発光の有機ＥＬ素子からなるフロントライト層だけを配置し、そのフロントライト層により液晶層Ｌｂ、Ｌｇ、Ｌｒ（液晶表示素子ＬＥｂ、ＬＥｇ、ＬＥｒ）のいずれも照明することも考えられる。しかし、その場合、液晶層Ｌｒが必要とする赤色領域の光は液晶表示素子ＬＥｂ、ＬＥｇを透過する必要があり、これら表示素子ＬＥｂ、ＬＥｇの層、界面における乱反射、散乱、吸収によって、液晶層Ｌｒに到達する光の量は低下してしまう。液晶層Ｌｇが必要とする緑色領域の光についても同様である。したがって、フロントライト層とそのフロントライト層の照明対象の液晶層の間には、そのフロントライト層から発生された光が透過すべき層が少ない方が好ましい。
【０１１０】
液晶表示装置ＡＰ１においては、液晶層のすぐ観察側にその液晶層を照明するためのフロントライト層が配置されているため、フロントライト層から出力された光が透過すべき層の数が比較的少なく、それだけ効率よく照明対象の液晶層を照明することができ、表示画像は明るくなる。また、同じ理由で、乱反射や散乱が抑制されるので、黒色表示を行うときには乱反射や散乱による光が観察者には届きにくく、それだけ良好な黒色表示を行うことができる。それだけ表示画像のコントラストも良好になる。
【０１１１】
なお、上記の白色発光のフロントライト層だけを有する液晶表示装置には、フロントライト層を三つ備える液晶表示装置ＡＰ１に比べて、製造が容易で、安価にすることができるという利点がある。
【０１１２】
また、液晶表示装置ＡＰ１においては、各液晶層Ｌｂ、Ｌｇ、Ｌｒに対してそれぞれフロントライト層ＦＬｂ、ＦＬｇ、ＦＬｒが設けられているため、これら液晶層の反射率間のバランスが悪い場合には、換言すれば、青色画像成分と緑色画像成分と赤色画像成分のバランスが悪い場合には、表示画像の色バランス（青色と緑色と赤色のバランス）を次のように調整することができる。図５に示すように、フロントライト層ＦＬｂ、ＦＬｇ、ＦＬｒの発光輝度を設定するための入力部５３ｂ、５３ｇ、５３ｒを設けておき、駆動装置５１ｂ、５１ｇ、５１ｒが入力部を介して設定される発光輝度情報に応じた電流を有機ＥＬ素子３ｂ、３ｇ、３ｒに通電すると、各フロントライト層の発光輝度を調整することができる。各フロントライト層ＦＬｂ、ＦＬｇ、ＦＬｒの間の発光輝度のバランスを調整して、各液晶層Ｌｂ、Ｌｇ、Ｌｒの反射率のバランスを調整することで、色バランスを調整することができる。例えば、赤色表示用の液晶層Ｌｒが反射率が低い場合、白色表示を行うときに水色がかった色の表示となってしまうが、入力部５３ｒを介してフロントライト層ＦＬｒの発光輝度を高くすることで、水色がかった色を白色に補正することができる。また、劣化などによって液晶層Ｌｂ、Ｌｇ、Ｌｒの反射率のバランスが変わったときなどにも、色バランスを補正することができる。
【０１１３】
入力部５３ｂ、５３ｇ、５３ｒは、例えば、手動により発光輝度を設定するための回転ダイアル、スライドバーなどを含むものとすればよい。液晶表示装置ＡＰ１をコンピュータ等のホスト機器の表示装置として利用する場合等においては、入力部はそのホスト機器上で発光輝度を設定するためのものとしてもよい。
【０１１４】
§３．
反射型積層型液晶表示装置の他の例の概略平面図を図６に示す。
図６の液晶表示装置ＡＰ２は、図１の液晶表示装置ＡＰ１と次に述べることを除き同じ構造を有している。
【０１１５】
液晶表示装置ＡＰ２においては、液晶層Ｌｂを照明するためのフロントライト層ＦＬｂの有機ＥＬ素子３ｂは、図２のストライプ状に代えて、格子状に形成されている。図示されていないが、他のフロントライト層ＦＬｇ、ＦＬｒの有機ＥＬ素子についても同様に格子状に形成されている。液晶表示装置ＡＰ２においても、液晶表示装置ＡＰ１と同様に、各フロントライト層の有機ＥＬ素子は、いずれも画素に重ならない位置に形成されている。
【０１１６】
このように有機ＥＬ素子を格子状にすれば、ストライプ状にするときよりも、発光面積が増え、それだけ照明光量が高まり、表示画像を明るくすることができる。
【０１１７】
§４．
反射型積層型液晶表示装置のさらに他の例の概略断面図及び概略平面図を図７及び図８に示す。
図７及び図８の液晶表示装置ＡＰ３は、図１の液晶表示装置ＡＰ１と次に述べることを除き同じ構造を有している。
【０１１８】
液晶表示装置ＡＰ３においては、フロントライト層ＦＬｂを構成する有機ＥＬ素子３ｂの陽極３１、電荷輸送層３２１及び発光層３２２ｂの各層は帯状には形成されておらず、基板Ｓ１ｂの表示領域全面に一様に形成されている。有機ＥＬ素子３ｂの陰極３３だけが帯状に形成されている。なお、有機ＥＬ素子３ｂとして機能する部分（発光可能部分）は、陰極３３が形成されている部分（陰極３３と陽極３１が重なっている部分）だけである。したがって、液晶表示装置ＡＰ３においても、液晶表示装置ＡＰ１と同様に、複数の有機ＥＬ素子３ｂはストライプ状に形成されている。
【０１１９】
他のフロントライト層ＦＬｇ及びＦＬｒを構成する有機ＥＬ素子３ｇ及び３ｒの陽極、電荷輸送層及び発光層についても表示領域の全面に形成されており、陰極だけが帯状に形成されている。
【０１２０】
このように陽極、電荷輸送層及び発光層を基板の全面に形成しても、これら各層が非常に薄くほぼ透明であるため、表示画像の観察の妨げとはならない。また、陽極、電荷輸送層及び発光層の各層をそれぞれストライプ状に形成する必要がなく、それだけこれら各層を効率よく、安価に作製することができる。これら各層をストライプ状にする場合には、例えば、フォトリソグラフィー法などを利用してエッチング処理等を行う必要があるが、これら各層をストライプ状に形成しないのでそのような処理を行う必要がなくなる。それだけ有機ＥＬ素子（フロントライト層）を効率よく、安価に作製することができる。したがって、それだけ液晶表示装置ＡＰ３を安価にすることができる。
【０１２１】
なお、フロントライト層を構成する有機ＥＬ素子を格子状とする場合にも、図６に示すように有機ＥＬ素子を構成する各層をいずれも格子状することに代えて、図９に示すように陰極３３だけを格子状として、陽極３１、電荷輸送層３２１及び発光層３２２ｂは表示領域の全面に形成してもよい。このようにすれば、それだけ有機ＥＬ素子の作製が容易になる。
【０１２２】
§５．
反射型積層型液晶表示装置のさらに他の例の概略断面図及び概略平面図を図  １０及び図１１に示す。
図１０及び図１１の液晶表示装置ＡＰ５は、図７及び図８の液晶表示装置ＡＰ３と次に述べることを除き同様の構造を有している。
【０１２３】
液晶表示装置ＡＰ５においては、フロントライト層ＦＬｂを構成する有機ＥＬ素子３ｂの陰極３３は帯状電極Ｅ１ｂの一部に重なっている。これにより、陰極３３は画素（画素領域）の一部と、非画素領域に重なっている。陰極３３は画素（画素領域）の全領域には重なっておらず、一部の領域だけに重なっている。つまり、陰極３３は画素の全ての領域を覆ってはいない。
【０１２４】
他のフロントライト層ＦＬｇ及びＦＬｒを構成する有機ＥＬ素子３ｇ及び３ｒについても同様である。
【０１２５】
このように画素に重ねて陰極３３（有機ＥＬ素子）を設けることで、液晶表示装置ＡＰ３のように画素に重ならない位置に有機ＥＬ素子を設ける場合に比べて、画素の開口率が低下し、液晶層による反射光量も低下してしまうが、画素の真上から照明することができるので、それだけ照明効率は高くなる。
【０１２６】
なお、液晶表示装置ＡＰ５においては、全ての画素（帯状電極Ｅ１ｂ）の上に陰極３３（有機ＥＬ素子）を設けたが、照明ムラ等が発生しないのであれば、例えば図１２に示すように一画素おきに陰極３３（有機ＥＬ素子）を設けてもよい。
【０１２７】
また、液晶表示装置ＡＰ５においては、陰極３３（有機ＥＬ素子）はストライプ状に形成したが、図１３に示すように陰極３３を画素の一部と重なるように格子状に形成してもよい。
【０１２８】
§６．
反射型積層型液晶表示装置のさらに他の例の概略断面図を図１４に示す。
図１４の液晶表示装置ＡＰ８は、次に述べることを除き図７の液晶表示装置ＡＰ３と同じ構造を有している。
【０１２９】
液晶表示装置ＡＰ８においては、液晶層Ｌｂ、Ｌｇ、Ｌｒのそれぞれに対してフロントライト層ＦＬｂ、ＦＬｇ、ＦＬｒを設けることに代えて、液晶層Ｌｂを照明するためのフロントライト層ＦＬｂと、液晶層Ｌｇ及びＬｒを照明するための共通のフロントライト層ＦＬｙが設けられている。液晶表示素子ＬＥｇとＬＥｒの間にはフロントライト層は配置されておらず、これら表示素子は接着層ＡＤにより互いに接着している。
【０１３０】
フロントライト層ＦＬｙは、照明対象である液晶層ＬｇとＬｒよりも観察側に配置されており、液晶層Ｌｇを挟持する基板Ｓ１ｇ上に形成されている。フロントライト層ＦＬｙは複数の有機ＥＬ素子３ｙを有している。有機ＥＬ素子３ｙは、陽極３１、電荷輸送層３２１、発光層３２２ｙ及び陰極３３が積層されたものである。有機ＥＬ素子３ｙは、照明対象である液晶層Ｌｇの選択反射波長に対応する色（緑色）と、同じく照明対象である液晶層Ｌｒの選択反射波長に対応する色（赤色）とを混ぜた黄（赤＋緑）色の光を発光する。
【０１３１】
液晶表示装置ＡＰ８は、赤色表示のための液晶層Ｌｒに対して専用のフロントライト層ＦＬｒが設けられている液晶表示装置ＡＰ３に比べて、液晶層Ｌｒに対する照明効率が若干低下してしまうが、フロントライト層の数が少なくなるので、液晶表示装置ＡＰ３に比べて製造工程が減ってコストダウンにつながり、安価にすることができる。
【０１３２】
また、黄色発光の有機ＥＬ素子３ｙ（発光層３２２ｙ）としては、発光効率の高いものが知られているので、そのような有機ＥＬ素子を採用することで消費電力を下げることができる。
【０１３３】
なお、液晶表示装置ＡＰ８のように隣合う液晶層ＬｇとＬｒの間にフロントライト層を配置しないのであれば、図１５に示すようにこれら液晶層ＬｇとＬｒの間に一つの基板Ｓｃだけを配置し、基板Ｓｃをこれら液晶層ＬｇとＬｒの挟持等に共通に利用してもよい。このようにすれば、液晶表示装置全体の厚みをさらに薄くすることができる。
【０１３４】
§７．
以上説明した液晶表示装置ＡＰ１〜ＡＰ９においては、三つの液晶層が積層されているが、積層する液晶層の数は三つに限定されない。液晶層の数は二つとしてもよく、四つ以上としてもよい。
【０１３５】
二つの液晶層だけが積層されている反射型積層型液晶表示装置の一例の概略断面図を図１６に示す。
【０１３６】
図１６の液晶表示装置ＡＰ１０においては、液晶層ＬｂとＬｙが積層されている。なお、液晶層Ｌｂを含む液晶表示素子ＬＥｂ及び液晶層Ｌｙを含む液晶表示素子ＬＥｙの構造は、いずれも図７の液晶表示装置ＡＰ３の液晶表示素子ＬＥｂと同じである。
【０１３７】
液晶層Ｌｂの液晶ＬＣｂは青色領域の光を選択反射することができ、液晶層Ｌｙの液晶ＬＣｙは黄色領域の光を選択反射することができる。液晶層Ｌｂに対しては青色発光の有機ＥＬ素子３ｂを含むフロントライト層ＦＬｂが設けられており、液晶層Ｌｙに対しては黄色発光の有機ＥＬ素子３ｙを含むフロントライト層ＦＬｙが設けられている。
【０１３８】
この液晶表示装置ＡＰ１０は、白（青＋黄）−黒のモノクロ表示を行うことができる。モノクロ表示だけを行うのであれば、液晶表示装置ＡＰ１０はその要求に十分に応えうる。モノクロ表示だけを行うのであれば、三つの液晶層が積層された液晶表示装置ＡＰ３等を採用するよりも、二つの液晶層だけが積層された液晶表示装置ＡＰ１０を採用する方が表示装置全体の厚みを薄くすることができる。
【０１３９】
§８．
上記説明した液晶表示装置においてはフロントライト層を構成する有機ＥＬ素子は、陰極（本例ではＩＴＯ透明膜）、電荷輸送層、発光層及び陽極の四層構造としたが、有機ＥＬ素子の構造はこれに限定されない。有機ＥＬ素子としては既に知られているものを採用することができ、その中から発光色、発光効率等を考慮して適宜選択すればよい。
【０１４０】
例えば、図１７（Ａ）に示す有機ＥＬ素子３Ａのように、陽極３１と電荷輸送層３２１の間に電荷注入層３２４を設けてもよい。また、図１７（Ｂ）に示す有機ＥＬ素子３Ｂのように、発光層３２２ｂと陰極３３の間に電荷輸送層３２５を設けてもよい。このように電荷注入層３２４や、電荷輸送層３２５を設けると発光効率をさらに高めることができる。
【０１４１】
また、図１７（Ｃ）に示す有機ＥＬ素子３Ｃのように、発光層として色素がドープされたドープ発光層３２６を採用してもよい。ドープ発光層を採用すれば、色素により発光色の調整を容易に行うことができる。
有機ＥＬ素子の構造は上記を組み合わせてもよく、上記以外としてもよい。
【０１４２】
§９．
積層型反射型液晶表示装置を作製して、その表示性能等を調べる実験を行ったので、それについて述べる。
作製したのは図１０の液晶表示装置ＡＰ５と同じ構造のものである。
【０１４３】
まず、次のようにして各液晶表示素子ＬＥｂ、ＬＥｇ、ＬＥｒを作製した。各液晶表示素子は、空液晶パネルを作製し、その空液晶パネルに液晶を注入することで作製した。液晶表示素子ＬＥｂのための空液晶パネルの作製方法について以下述べる。
【０１４４】
§９．１．
一対の基板Ｓ１ｂ、Ｓ２ｂとして、厚さ１００μｍのポリカーボネイト（ＰＣ）フィルムを準備した。このＰＣフィルムとしては、予めその全面にＩＴＯ膜が形成されているものを採用した。
【０１４５】
まず、一方の基板Ｓ１ｂ上のＩＴＯ膜をフォトリソグラフィー法を利用して所定形状にパターンニングすることで、複数の帯状電極Ｅ１ｂからなるカラム電極Ｅ１を形成した。各帯状電極Ｅ１ｂの幅は５００μｍとした。また、帯状電極Ｅ１ｂのピッチは６００μｍ（隣合う帯状電極の間の幅を１００μｍ）とした。同様に基板Ｓ２ｂ上のＩＴＯ膜をパターニングすることで、複数の帯状電極Ｅ２ｂからなるロウ電極Ｅ２を形成した。帯状電極Ｅ２ｂの幅は５００μｍ、ピッチは６００μｍとした。
【０１４６】
次いで、基板Ｓ１ｂのＩＴＯ電極Ｅ１上に厚み８００Åのポリイミド系配向膜Ｏ１を形成し、配向膜Ｏ１上に直径５μｍのスペーサＳＰを散布した。
【０１４７】
次いで、基板Ｓ２上のＩＴＯ電極Ｅ２上に厚み８００Åのポリイミド系配向膜Ｏ２を形成し、配向膜Ｏ２上に熱可塑性樹脂（本例ではポリウレタン樹脂）からなる柱状樹脂構造物ＲＳを形成した。樹脂構造物ＲＳはスクリーン印刷法により形成した。各樹脂構造物ＲＳは断面円形として、その直径は５０μｍとし、高さは１０μｍとした。また、樹脂構造物ＲＳは、ピッチ６００μｍで表示領域の全域に形成した。
【０１４８】
次いで、一方の基板（本例では基板Ｓ１ｂ）上に、枠状のシール壁ＳＷを形成した。シール壁ＳＷは、シール材ＸＮ２１（三井化学社製）を用いて、スクリーン印刷により形成した。なお、シール壁ＳＷには後に液晶を注入するための注入口を設けておいた。
【０１４９】
この後、スペーサＳＰ、樹脂構造物ＲＳ及びシール壁ＳＷを介して基板Ｓ１ｂとＳ２ｂを貼り合わせ、それを１５０°Ｃで１時間加熱して、シール材（シール壁ＳＷ）を硬化させた。これらにより、液晶表示素子ＬＥｂのための空液晶パネルを得た。
【０１５０】
液晶表示素子ＬＥｇ及びＬＥｒのための空液晶パネルも上記と同様にした作製した。ただし、液晶表示素子ＬＥｒのための空液晶パネルにおいては、直径５μｍのスペーサに代えて、直径９μｍのスペーサを採用した。
【０１５１】
§９．２．
次いで、各空液晶パネルの基板上に有機ＥＬ素子を次のように形成した。液晶表示素子ＬＥｂのための空液晶パネル上に、有機ＥＬ素子３ｂを形成する方法について述べる。
【０１５２】
まず、有機ＥＬ素子３ｂを形成する基板Ｓ１ｂ面にエキシマランプからの光を５分間照射し、酸素プラズマに１０分間曝すことで、基板Ｓ１面を洗浄した。
【０１５３】
次いで、基板Ｓ１上に陽極３１として、厚さ１５０ｎｍのＩＴＯ膜をヘリコンスパッタ法により形成した。陽極（ＩＴＯ膜）３１は表示領域の全域に形成した。
【０１５４】
次いで、陽極３１が形成された空液晶パネルを成膜装置内のホルダーにセットし、正孔注入輸送層（電荷輸送層）３２１、発光層３２２ｂ、陰極３３をこの順に形成した。
【０１５５】
正孔注入輸送層３２１は、１０-5Ｔｏｒｒ以下の真空下において、Ｎ，Ｎ’−ジフェニル−Ｎ，Ｎ’−ビス（３−メチルフェニル）−１，１’−ジフェニル−４，４’−ジアミン（いわゆるＴＰＤ）を蒸着源として、抵抗加熱法による蒸着により蒸着速度０．１ｎｍ／ｓｅｃにて形成した。正孔注入層３２１の厚みは６０ｎｍとした。正孔注入輸送層３２１は表示領域の全域に形成した。
【０１５６】
発光層３２２ｂは、１−ヒドロキシビフェニル−ビス（８−ヒドロキシキノリン）アルミニウム錯体（いわゆるＢＡＬＱ）を蒸着源として、抵抗加熱法による蒸着により、蒸着速度０．１ｎｍ／ｓｅｃにて形成した。発光層３２２ｂの厚みは６０ｎｍとした。発光層３２２ｂは表示領域の全域に形成した。
【０１５７】
陰極３３は、マグネシウム（Ｍｇ）及び銀（Ａｇ）を蒸着源として、抵抗加熱法の共蒸着により蒸着速度比を１０：１として形成した。ストライプ状の孔を有するマスクを用いて成膜を行うことで、各有機ＥＬ素子の陰極３３としてのストライプ状の蒸着膜を形成した。これら陰極３３は、画素の一部及び非画素領域に重なるように形成した。各陰極３３の幅は１００μｍ、厚みは約２００ｎｍとした。
【０１５８】
これらによりストライプ状の有機ＥＬ素子３ｂを有する空液晶パネルを得た。有機ＥＬ素子３ｂの発光波長のピークは、４８０ｎｍ付近（青色領域）であった。
【０１５９】
他の有機ＥＬ素子３ｇ及び３ｒも上記と同様にして形成した。
ただし、有機ＥＬ素子３ｇの発光層３２２ｇを形成するときの蒸着源は、トリス（８−ヒドロキシキノリン）アルミニウム錯体（いわゆるＡＬＱ）とした。有機ＥＬ素子３ｇの発光波長のピークは、５３０ｎｍ付近（緑色領域）であった。
【０１６０】
また、有機ＥＬ素子３ｒの発光層３２２ｒを形成するときの蒸着源は、Ｎ，Ｎ’−ビス（４−ｔｅｒｔブチルフェニル）ペリレンテトラカルボジイミド（いわゆるｔＢｕ−ＰＴＣ）とした。有機ＥＬ素子３ｒの発光波長のピークは、６００ｎｍ付近（赤色領域）であった。
【０１６１】
§９．３．
次いで、有機ＥＬ素子が形成された空液晶パネルを所定の順序で、粘着シート４１及びＵＶ硬化樹脂４２により接着した。また、これにより、各有機ＥＬ素子を封止した。
【０１６２】
次いで、液晶表示素子ＬＥｒのための空液晶パネルの裏面に黒色の光吸収膜ＡＢを形成した。
【０１６３】
§９．４．
次いで、液晶表示素子ＬＥｂ、ＬＥｇ及びＬＥｒのための空液晶パネルに、それぞれ液晶ＬＣｂ、ＬＣｇ及びＬＣｒを真空注入法により注入した。
液晶ＬＣｂ、ＬＣｇ及びＬＣｒは、それぞれ数種類のネマティック液晶とカイラル材を所定量ずつ混合することで、所定の選択反射ピーク波長が得られるように調整したものである。液晶ＬＣｂ、ＬＣｇ及びＬＣｒの選択反射ピーク波長は、それぞれ４８０ｎｍ付近（青色領域）、５６０ｎｍ付近（緑色領域）及び６８０ｎｍ付近（赤色領域）であった。
【０１６４】
これら液晶は対応する空液晶パネルに次のように同時に注入した。まず、積層された空液晶パネルを注入口が上になるように真空槽内にセットし、真空槽内を１０-3Ｔｏｒｒ以下にまで減圧した。次いで、液晶ＬＣｂ、ＬＣｇ及びＬＣｒをそれぞれ対応する空液晶パネルの注入口の上に同時に滴下した。各空液晶パネルの注入口は位置をずらして形成しておいたため、これら液晶が互いに混じり合うことはない。次いで、真空槽内が大気圧となるように槽内に窒素ガスを導入することで、各空液晶パネルに液晶を注入した。注入が完了した後、注入口に封止剤フォトレックｆ（積水ファインケミカル社製）を塗布して、硬化させ、注入口を封止した。
これらにより、反射型積層型液晶表示装置ＡＰ５を得た。
【０１６５】
§９．５．
作製した液晶表示装置は、フルカラー表示を行うことができた。フロントライト層ＦＬｂ、ＦＬｇ及びＦＬｒを点灯せず、自然光だけを利用して画像表示を行うと、有機ＥＬ素子の陰極３３による開口率の低下から、やや反射率が低下したが、フロントライト層により照明を行えば、暗い部屋の中でもフルカラーの表示画像を十分観察することができた。有機ＥＬ素子からなるフロントライト層を点灯した状態においては、表示画面の輝度ムラは、目で見た限りではほとんど認識できなかった。液晶表示装置全体の厚みは１ｍｍ以下となり、フロントライト層があるにもかかわらず、液晶表示装置を薄く、軽くすることができた。
【０１６６】
液晶層Ｌｂ、Ｌｇ、Ｌｒの反射率にはばらつきがあり、白色表示を行ったときにやや水色がかったように見えた。しかし、フロントライト層ＦＬｂ、ＦＬｇ及びＦＬｒの有機ＥＬ素子への通電量のバランスを調整して、これらフロントライト層の照明輝度のバランスを調整することで、きれいな白色表示となるように補正することができた。
【０１６７】
【発明の効果】
以上説明したように本発明に係る反射型積層型液晶表示装置は、フロントライトとして導光板及び光源を含む照明装置を採用する反射型積層型液晶表示装置よりも薄くすることができる。
【０１６８】
また、本発明に係る反射型積層型液晶表示装置は、フロントライトとして導光板及び光源を含む照明装置を採用する反射型積層型液晶表示装置よりも、コンパクトにすることができる。
【０１６９】
また、本発明に係る反射型積層型液晶表示装置は、フロントライトとして導光板及び光源を含む照明装置を採用する反射型積層型液晶表示装置よりも、照明ムラを抑制でき、それだけ表示画像が見やすい。
【０１７０】
また、本発明に係る反射型積層型液晶表示装置において、フロントライト層をそのフロントライト層の照明対象液晶層の選択反射波長に対応する色と同じ又はほぼ同じ色の光を発光するものとすると、フロントライト層から発せられる光の利用効率を高めることができる。
【０１７１】
また、本発明に係る反射型積層型液晶表示装置において、複数の液晶層のそれぞれに対してフロントライト層を設けると、表示画像の色バランスを調整することができる。
【図面の簡単な説明】
【図１】本発明に係る反射型積層型液晶表示装置の一例の概略断面図である。
【図２】図１の反射型積層型液晶表示装置の概略平面図である。
【図３】図１の反射型積層型液晶表示装置の液晶表示モジュールの概略斜視図である。
【図４】図４（Ａ）〜４（Ｃ）はいずれも有機ＥＬ素子の一例の概略断面図である。
【図５】図１の反射型積層型液晶表示装置の駆動装置を含む概略構成図である。
【図６】本発明に係る反射型積層型液晶表示装置の他の例の概略平面図である。
【図７】本発明に係る反射型積層型液晶表示装置のさらに他の例の概略断面図である。
【図８】図７の反射型積層型液晶表示装置の概略平面図である。
【図９】本発明に係る反射型積層型液晶表示装置のさらに他の例の概略平面図である。
【図１０】本発明に係る反射型積層型液晶表示装置のさらに他の例の概略断面図である。
【図１１】図１０の反射型積層型液晶表示装置の概略平面図である。
【図１２】本発明に係る反射型積層型液晶表示装置のさらに他の例の概略平面図である。
【図１３】本発明に係る反射型積層型液晶表示装置のさらに他の例の概略平面図である。
【図１４】本発明に係る反射型積層型液晶表示装置のさらに他の例の概略断面図である。
【図１５】本発明に係る反射型積層型液晶表示装置のさらに他の例の概略断面図である。
【図１６】本発明に係る反射型積層型液晶表示装置のさらに他の例の概略断面図である。
【図１７】図１７（Ａ）〜（Ｃ）はいずれも有機ＥＬ素子の他の例の概略断面図である。
【符号の説明】
ＡＰ１〜ＡＰ１０  反射型積層型液晶表示装置
Ｍｂ、Ｍｇ、Ｍｒ  液晶表示モジュール
ＬＥｂ、ＬＥｇ、ＬＥｒ  液晶表示素子
Ｓ１ｂ、Ｓ２ｂ、Ｓ１ｇ、Ｓ２ｇ、Ｓ１ｒ、Ｓ２ｒ  基板
Ｓｃ  共通基板
Ｅ１、Ｅ２  電極
Ｅ１ｂ、Ｅ２ｂ  帯状電極
Ｏ１、Ｏ２  配向膜
Ｌｂ、Ｌｇ、Ｌｒ、Ｌｙ  液晶層
ＬＣｂ、ＬＣｇ、ＬＣｒ、ＬＣｙ  液晶
ＡＢ  光吸収膜
ＳＰ  スペーサ
ＲＳ  樹脂構造物
ＳＷ  シール壁
ＡＤ  接着層
ＰＸ  画素
ＦＬｂ、ＦＬｇ、ＦＬｒ、ＦＬｙ  フロントライト層
３ｂ、３ｇ、３ｒ、３ｙ  有機ＥＬ素子
３１  陽極
３２  有機発光膜
３２１  電荷輸送層
３２２ｂ、３２２ｇ、３２２ｒ、３２２ｙ  発光層
３３  陰極
４１  封止層
４２  壁
５１ｂ、５１ｇ、５１ｒ  有機ＥＬ素子駆動装置
５２ｂ、５２ｇ、５２ｒ  液晶表示素子駆動装置
５３ｂ、５３ｇ、５３ｒ  入力部
【図１】
0003982259.tif 000002
【図２】
0003982259.tif 000003
【図３】
0003982259.tif 000004
【図４】
0003982259.tif 000005
【図５】
0003982259.tif 000006
【図６】
0003982259.tif 000007
【図７】
0003982259.tif 000008
【図８】
0003982259.tif 000009
【図９】
0003982259.tif 000010
【図１０】
0003982259.tif 000011
【図１１】
0003982259.tif 000012
【図１２】
0003982259.tif 000013
【図１３】
0003982259.tif 000014
【図１４】
0003982259.tif 000015
【図１５】
0003982259.tif 000016
【図１６】
0003982259.tif 000017
【図１７】
0003982259.tif 000018